(57)【特許請求の範囲】
【請求項１】
画像を表示する領域を構成する複数の表示ユニットに対応させて、表示画像を複数の部分画像に分割し、該部分画像を対応する前記表示ユニットで表示させるための画像信号と前記表示ユニットの各々の位置を設定するための位置設定情報とを用いて送信信号を生成する送信信号生成手段と、前記送信信号を無線信号として出力する送信手段とを有した画像送信装置と、
前記画像送信装置により出力された前記無線信号を受信して前記画像信号及び前記位置設定情報を出力する受信手段と、該受信手段から出力された画像信号に基づいて表示駆動信号を生成する信号処理手段と、該表示駆動信号に基づいて画像表示を行う表示手段とを有して前記表示ユニットが構成され、前記表示ユニットが複数用いられて該複数の表示ユニットの表示手段によって画像表示領域が構成される画像表示装置とを備え、
前記表示ユニットは、
前記受信手段より出力された前記位置設定情報の中から当該表示ユニット毎に対応する位置設定情報を抽出する情報抽出手段と、
前記情報抽出手段で抽出された前記位置設定情報に基づき当該表示ユニットの位置を移動する位置移動手段とを有することを特徴とする画像表示システム。
【請求項２】
前記信号処理手段は、前記画像信号に対して高画質化処理を行い、該高画質化処理が行われた画像信号に基づいて表示駆動信号を生成することを特徴とする請求項１記載の画像表示システム。
【請求項３】
前記送信信号生成手段は、前記高画質化処理で用いる動き情報を生成し、該動き情報を用いて前記送信信号を生成し、
前記信号処理手段は、前記動き情報を用いて前記高画質化処理を行うことを特徴とする請求項２記載の画像表示システム。
【請求項４】
前記送信信号生成手段は、前記画像表示領域に表示する画像に応じて位置設定情報の生成を行うことを特徴とする請求項１記載の画像表示システム。
【請求項５】
前記画像送信装置を複数設け、
前記表示ユニットには、前記受信手段を複数設けて、前記複数の画像送信装置から出力された無線信号を受信するものとし、前記信号処理手段は、前記複数の受信手段から出力された画像信号の何れかを選択して前記表示駆動信号を生成することを特徴とする請求項１記載の画像表示システム。
【請求項６】
前記複数の表示ユニットをガイドするガイド部が設けられて当該複数の表示ユニットを支持する支持機構を備え、
前記支持機構により支持された複数の表示ユニットの前記位置移動手段は、
当該表示ユニットを移動するための駆動部を有し、
前記抽出された位置設定情報に基づいて前記駆動部を駆動し、前記支持機構のガイド部に沿って所望の位置に移動することを特徴とする請求項１記載の画像表示システム。
【請求項７】
前記複数の表示ユニットは、
所定のアスペクト比に配列されることを特徴とする請求項１記載の画像表示システム。
【請求項８】
送信された画像の無線信号に基づいて画像を表示すると共に、表示ユニット本体の位置を移動する位置移動手段を有した表示ユニットを複数備えた画像表示装置に、画像の無線信号を送信する画像送信装置であって、
表示画像を複数の部分画像に分割して部分画像単位で画像表示を行う送信信号を生成する送信信号生成手段と、
前記送信信号を無線信号として出力する送信手段とを有し、
前記送信信号生成手段は、前記部分画像の表示位置を設定する位置設定情報を生成し、該位置設定情報を用いて前記送信信号を生成することを特徴とする画像送信装置。
【請求項９】
前記送信信号生成手段は、前記部分画像の高画質化で用いる動き情報を生成し、該動き情報を用いて前記送信信号を生成することを特徴とする請求項８記載の画像送信装置。
【請求項１０】
前記送信信号生成手段は、前記画像表示領域に表示する画像に応じて位置設定情報の生成を行うことを特徴とする請求項８記載の画像送信装置。
【請求項１１】
表示画像を複数の部分画像に分割し、該部分画像を対応する表示ユニットで表示するための画像信号、及び前記表示ユニットの位置を設定するための位置設定情報を用いて生成された無線信号を受信して画像を表示する画像表示装置であって、
前記無線信号を受信して前記画像信号及び位置設定情報を出力する受信手段と、
該受信手段から出力された画像信号に基づいて表示駆動信号を生成する信号処理手段と、
該表示駆動信号に基づいて画像表示を行う表示手段と、
前記受信手段より出力された前記位置設定情報を抽出する情報抽出手段と、
前記情報抽出手段で抽出された前記位置設定情報に基づき表示位置を移動する位置移動手段とを有して表示ユニットが構成され、
前記表示ユニットが複数用いられて該複数の表示ユニットの表示手段によって画像表示領域が構成されることを特徴とする画像表示装置。
【請求項１２】
前記信号処理手段は、前記画像信号に対して高画質化処理を行い、該高画質化処理が行われた画像信号に基づいて表示駆動信号を生成することを特徴とする請求項１１記載の画像表示装置。
【請求項１３】
前記表示ユニットには、前記受信手段を複数設けて周波数の異なる複数の無線信号を受信するものとし、前記信号処理手段は、前記複数の受信手段から出力された画像信号の何れかを選択して前記表示駆動信号を生成することを特徴とする請求項１１記載の画像表示装置。
【請求項１４】
前記複数の表示ユニットをガイドするガイド部が設けられて当該複数の表示ユニットを支持する支持機構を備え、
前記支持機構により支持された複数の表示ユニットの前記位置移動手段は、
当該表示ユニットを移動するための駆動部を有し、
前記抽出された位置設定情報に基づいて前記駆動部を駆動し、前記支持機構のガイド部に沿って所望の位置に移動することを特徴とする請求項１１記載の画像表示装置。
【請求項１５】
前記複数の表示ユニットは、
所定のアスペクト比に配列されることを特徴とする請求項１１記載の画像表示装置。
【発明の詳細な説明】
【０００１】
【発明の属する技術分野】
この発明は、画像表示システムと画像送信装置および画像表示装置に関する。詳しくは、無線信号を受信して画像信号を出力する受信手段と、受信手段から出力された画像信号に基づいて表示駆動信号を生成する信号処理手段と、表示駆動信号に基づいて画像表示を行う表示手段とを用いて表示ユニットを形成して、複数の表示ユニットを用いて画像表示装置を構成する。また、画像送信装置は、画像表示領域を構成する表示ユニットの表示手段に対応させて、表示画像を複数の部分画像に分割し、この部分画像を対応する表示手段で表示させる送信信号を生成する送信信号生成手段と、前記送信信号を無線信号として出力する送信手段用いて構成するものである。また、画像表示装置の表示ユニットの位置を移動可能とするものである。
【０００２】
【従来の技術】
従来、液晶プロジェクタやレーザ光プロジェクタあるいはフィルム映写機などの投射装置を用いて、スクリーンに画像を投影することで、大画面での画像提示が行われている。また、発光機能を有する表示素子を平面状に複数配列させて大画面の表示部を構成して、各表示素子の発光を制御することで表示部に画像を表示させる画像表示装置も用いられている。
このように、大画面で画像を提示することで、臨場感の高い画像提示を行うことができると共に、多くの人が同時に画像を見ることもできる。
【０００３】
【発明が解決しようとする課題】
ところで、フィルム映写機以外の投射装置は、画素あるいは走査線のように離散化された情報の集合で１画面の画像を構成している。このため、提示する画像のサイズが大きくなると、画素間あるいは走査線間の隙間などが目立ってしまい、画像の精細さが低下してしまう。
【０００４】
また、投影レンズ等を用いて画像をスクリーンに拡大して投影する場合、提示する画像のサイズが大きくなるに伴い画面が暗くなる。光源からの光出力を増加させる必要があるが、これは必ずしも容易ではない。さらに、屋外で画像の提示を行う場合、周囲が明るい状態となってしまうことにより投影された画像が見えにくくなってしまう場合が生ずる。
【０００５】
発光機能を有する表示素子を用いる画像表示装置は、大画面化や高解像度化によって表示素子の数を多くすると、表示素子を駆動する信号を生成するための信号処理部と表示素子間の信号線の配線数が増大して、画像表示装置の設置やメンテナンスが煩雑となってしまう。また、表示素子を増やす場合にも、信号処理部と表示素子間を信号線で接続しなければならないため、サイズの拡張等も簡単に行うことができない。
【０００６】
また、投影される画像のサイズや表示位置あるいは形状等は、スクリーンや画像表示装置の表示部によって決定されてしまい、自由度の高い画像提示を行うことができない。
そこで、この発明では、自由度が高く良好な画像表示を行うことができる画像表示装置を提供するものである。
【０００７】
【課題を解決するための手段】
この発明に係る画像表示システムは、画像を表示する領域を構成する複数の表示ユニットに対応させて、表示画像を複数の部分画像に分割し、該部分画像を対応する前記表示ユニットで表示させるための画像信号と前記表示ユニットの各々の位置を設定するための位置設定情報とを用いて送信信号を生成する送信信号生成手段と、前記送信信号を無線信号として出力する送信手段とを有した画像送信装置と、前記画像送信装置により出力された前記無線信号を受信して前記画像信号及び前記位置設定情報を出力する受信手段と、該受信手段から出力された画像信号に基づいて表示駆動信号を生成する信号処理手段と、該表示駆動信号に基づいて画像表示を行う表示手段とを有して前記表示ユニットが構成され、前記表示ユニットが複数用いられて該複数の表示ユニットの表示手段によって画像表示領域が構成される画像表示装置とを備え、前記表示ユニットは、前記受信手段より出力された前記位置設定情報の中から当該表示ユニット毎に対応する位置設定情報を抽出する情報抽出手段と、前記情報抽出手段で抽出された前記位置設定情報に基づき当該表示ユニットの位置を移動する位置移動手段とを有することを特徴とするものである。
【０００８】
また、画像送信装置は、送信された画像の無線信号に基づいて画像を表示すると共に表示ユニット本体の位置を移動する位置移動手段を有した表示ユニットを複数備えた画像表示装置に、画像の無線信号を送信する画像送信装置であって、表示画像を複数の部分画像に分割して部分画像単位で画像表示を行う送信信号を生成する送信信号生成手段と、前記送信信号を無線信号として出力する送信手段とを有し、前記送信信号生成手段は、前記部分画像の表示位置を設定する位置設定情報を生成し、該位置設定情報を用いて前記送信信号を生成するものである。
【０００９】
また画像表示装置は、表示画像を複数の部分画像に分割し、該部分画像を対応する表示ユニットで表示するための画像信号、及び前記表示ユニットの位置を設定するための位置設定情報を用いて生成された無線信号を受信して画像を表示する画像表示装置であって、前記無線信号を受信して前記画像信号及び位置設定情報を出力する受信手段と、該受信手段から出力された画像信号に基づいて表示駆動信号を生成する信号処理手段と、該表示駆動信号に基づいて画像表示を行う表示手段と、前記受信手段より出力された前記位置設定情報を抽出する情報抽出手段と、前記情報抽出手段で抽出された前記位置設定情報に基づき表示位置を移動する位置移動手段とを有して表示ユニットが構成され、前記表示ユニットが複数用いられて該複数の表示ユニットの表示手段によって画像表示領域が構成されることを特徴とするものである。
【００１０】
この発明においては、表示画像を複数の部分画像に分割して部分画像単位で画像表示を行う送信信号が生成されて無線信号として画像送信装置から出力される。また送信信号の生成では、部分画像の高画質化で用いる動き情報や、部分画像の表示位置を設定する位置設定情報も用いられる。表示画像を表示する画像表示装置は、複数の表示ユニットで構成されており、この複数の表示ユニットの表示手段によって画像表示領域が形成される。表示ユニットの受信手段では、無線信号が受信されて、この受信手段で得られた画像信号が信号処理手段に供給される。信号処理手段では、画像信号に基づき部分画像の高画質化が行われて表示駆動信号が生成される。この高画質化では例えば動き情報が用いられる。この生成された表示駆動信号が表示手段に供給されて、表示手段によって部分画像が表示される。また各表示ユニットの表示手段によって部分画像が表示されることにより、画像表示領域に所望の表示画像が表示される。また、表示ユニットの位置が位置設定情報に基づき移動されて、部分画像の表示位置が可変される。さらに、画像送信装置が複数設けられると共に、画像表示装置の表示ユニットでは、いずれかの画像送信装置から送信された画像を部分画像として表示するか、表示ユニット単位で選択可能とされる。
【００１１】
【発明の実施の形態】
以下、この発明の実施の形態について説明する。この発明の画像表示装置は、図１に示すように、表示ユニットを複数用いて、各表示ユニットの表示部１７によって画像表示領域ＰＡを形成する。表示ユニットは、それぞれ独立して画像信号の処理を行い、各表示ユニットによって部分画像単位で表示を行うことで、画像表示領域ＰＡに所望の表示画像を複数の部分画像によって形成する。また、表示ユニットを移動可能として、画像表示領域ＰＡを自由に設定可能とすると共に、表示ユニットの数が多いときでも、表示ユニットの移動や部分画像の表示を容易に行うことができるように、無線系の通信手段を介して、表示ユニットへの画像信号の供給を行う。
【００１２】
ここで、画像信号の送信側は、表示ユニットで部分画像の画像信号を得ることができるように画像信号を送信する。例えば、各表示ユニットに対して識別符号を設定しておくと共に、画像信号の送信側では、表示画像の画像信号を送信する際に、画像信号のいずれの部分を用いて部分画像の信号とするかを示す部分画像情報を識別符号と共に設定して、表示画像の画像信号に付加あるいは合成して送信する。表示ユニットは、設定されている識別符号と、送信側から供給された識別符号の照合を行い、識別符号が一致した部分画像情報を用いて、表示画像の画像信号から部分画像の画像信号を抽出する。あるいは、部分画像の画像信号を生成して、各部分画像の画像信号にいずれの表示ユニットに供給する信号であるか示す識別符号を付加あるいは合成して送信する。この場合、表示ユニットは、設定されている識別符号と、送信側から供給された識別符号の照合を行い、識別符号が一致した画像信号を用いる。
【００１３】
図２は、発光機能を有する表示素子を複数用いて表示部を形成した表示ユニットの構成を示している。なお、図２は、部分画像の画像信号に識別符号が付加あるいは合成された信号を受信する場合を示している。
【００１４】
表示ユニット１１の受信アンテナ１２は受信部１３が接続されており、受信アンテナ１２で受信した信号を受信部１３に供給する。受信部１３は、受信アンテナ１２で受信した信号の復調処理、および受信した信号から識別番号の一致した信号の選択を行い、表示ユニット１１に応じた部分画像の画像信号ＤＶpを生成して信号処理部１４に供給する。
【００１５】
信号処理部１４は、受信部１３から供給された画像信号ＤＶpを用いて、特開２０００−１２５２６８号公報等で示すような高画質化処理を行う。さらに高画質化処理を行うことにより得られた画像信号に基づき、表示部１７の各表示素子１７ａを駆動する表示駆動信号ＤＲpを生成する。また、表示ユニット１１を表示部１７の表示サイズ以下とすることで、図１に示すように複数の表示ユニット１１の表示部１７で画像表示領域ＰＡを形成したとき、表示部１７間の間隔を少なくできる。
【００１６】
図３は、信号処理部１４の構成を示している。信号処理部１４は、画像信号ＤＶpを領域切出部１４１及び１４２に入力する。領域切出部１４１は、この画像信号ＤＶpに基づく画像から注目画素および当該注目画素を中心とした複数の周辺画素からなる画像を切り出して、クラスコード生成部１４３に供給する。切り出す領域は、クラス分類に係る処理に用いられるためクラスタップと呼ばれており、この領域の画像は、クラスタップデータＣＴＤとしてクラスコード生成部１４３に供給される。
【００１７】
クラスコード生成部１４３は、クラスタップデータＣＴＤから、例えばＡＤＲＣ(Adaptive Dynamic Range Coding)のようなデータ圧縮処理を行い、クラスコードＣＤを生成して予測係数ＲＯＭ１４４に供給する。このＡＤＲＣによる分類法は、切り出した画像の領域内におけるダイナミックレンジから再量子化ビット数に応じた量子化ステップ幅を算出し、入力画素値から最小画素値を減算した値を量子化ステップ幅に応じて再量子化することでデータを削減するものである。
【００１８】
予測係数ＲＯＭ１４４には、後述する学習回路によって予め生成したクラス毎に対応する例えば解像度変換用の予測係数データを格納しており、クラスコード生成部１４３から供給されるクラスコードＣＤに応じた予測係数データＥＤを読み出し、これを予測演算部１４５に供給する。
【００１９】
領域切出部１４２は、画像信号ＤＶpから画像を切り出して予測演算部１４５に供給する。この切り出す領域は、出力画像を予測生成するために用いられるため予測タップと呼ばれており、この領域の画像は、予測タップデータＥＴＤとして予測演算部１４５に供給される。
【００２０】
予測演算部１４５は、予測係数データＥＤと予測タップデータＥＴＤとの積和演算を行うことにより高画質化した画像信号ＤＶvを生成し、表示駆動部１４６に供給する。表示駆動部１４６では、画像信号ＤＶvに基づき表示素子毎の表示駆動信号ＤＲpを生成して出力する。
【００２１】
図４は、予測係数ＲＯＭ１４４に格納されている解像度変換用の予測係数データを生成する学習回路の構成を示す。学習回路２００は、部分画像よりも高解像度の画像信号ＤＶhを教師画像の画像信号としてローパスフィルタ（ＬＰＦ）２０１及び正規方程式演算部２０５に入力する。ＬＰＦ２０１は、画像信号ＤＶhに対する間引き処理を行うことにより生徒画像としての画像信号ＤＶpを生成し、これを領域切出部２０２，２０３に出力する。
【００２２】
領域切出部２０２は、信号処理部１４の領域切出部１４１と同様に構成されており、画像信号ＤＶpから画像を切り出してクラスタップデータＣＴＤとしてクラスコード生成部２０４に供給する。クラスコード生成部２０４は、信号処理部１４のクラスコード生成部１４３と同様に構成されており、クラスタップデータＣＴＤに基づいてクラスコードＣＤを生成し、これを正規方程式演算部２０５に出力する。
【００２３】
領域切出部２０３は、信号処理部１４の領域切出部１４２と同様に構成されており、画像信号ＤＶpから画像を切り出して、予測タップデータＥＴＤとして正規方程式演算部２０５に供給する。正規方程式演算部２０５は、画像信号ＤＶhと予測タップデータＥＴＤとから、クラスコードＣＤ毎に正規方程式を生成し、この正規方程式ＥＱＤを予測係数決定部２０６に出力する。
【００２４】
予測係数決定部２０６は、正規方程式ＥＱＤが必要な数だけ供給されると、最小自乗法を用いて当該正規方程式ＥＱＤを解くことにより予測係数を算出して、この予測係数を示す予測係数データＥＤをメモリ２０７に格納する。その後、このメモリ２０７に格納されている予測係数データＥＤを予測係数ＲＯＭ１４４に書き込む。
【００２５】
ここで、信号処理部１４でクラスタップや予測タップを選定する場合、上述したように注目画素だけでなく周辺画素の信号も用いる。このため、信号処理部１４には、図５に示すように、表示ユニット１１で表示する部分画像ＰＢよりも破線で示す広範囲な領域ＢＳの画像信号を、部分画像の画像信号ＤＶpとして供給する。
【００２６】
また、伝送の効率化を図るため、画像信号を符号化してから表示ユニット１１に供給する場合、例えばＭＰＥＧ(Moving Picture Experts Group)規格に基づいて圧縮処理された画像信号を表示ユニット１１に供給する場合、特願平１０−３１３４５８号公報「画像データ変換装置及び方法、予測係数生成装置および方法、予測係数格納媒体」で示されている方法等を用いることで、画像信号の伝送を効率よく行うことができると共に、圧縮符号化に伴って発生する歪みやノイズを抑圧させることができる。すなわち、注目画素がＤＣＴブロックのいずれの位置であるかに応じて歪みの生じやすい信号をさけて画像の切り出しを行い、クラスタップデータＣＴＤや予測タップデータＥＴＤを生成する。また、予測係数ＲＯＭ１４４には、ＭＰＥＧのブロック歪みについて、歪み除去前後の信号パターンの関係を学習して作成した予測係数を記憶させておくことで、ブロック歪みのない画像信号を生成できる。
【００２７】
さらに、動きベクトル検出を行い、検出された動きベクトルに基づいてクラス分類適応処理を行い、折り返し歪みを除去した画像信号を生成するものしても良い。ここで、表示ユニット１１で動きベクトルの検出と動きベクトルに基づいたクラス分類適応処理を行う場合は、表示ユニット１１の負荷が重くなってしまう。このため、画像信号の送信側で動きベクトルの検出を行い、検出された動きベクトルを動き情報として表示ユニット１１に供給すると共に、表示ユニット１１では、動き情報すなわち動きベクトルを用いてクラス分類適応処理を行う。このように、動き情報の生成を送信側で行うことにより、負荷を適度に分散させることができる。
【００２８】
図６は、動き情報を画像信号と共に表示ユニット１１に伝送する画像送信装置３０の構成を示している。
表示する画像の画像信号ＤＶsは、送信信号生成部３１の付加情報生成部３１１と信号生成処理部３１２に供給される。付加情報生成部３１１は、動き情報生成部３５０を有しており、画像信号ＤＶsに基づいて動きベクトルの検出を行い、動き情報として検出した動きベクトルを信号生成処理部３１２に供給する。
【００２９】
図７は、動き情報生成部３５０の構成を示している。画像信号ＤＶsは、フレームメモリ３５１に供給される。フレームメモリ３５１には、フレームメモリ３５２，３５３がシフトレジスタ状に順次接続されている。フレームメモリ３５２には、フレームメモリ３５１に記憶された画像信号よりも１フレーム前の画像信号が記憶されると共に、フレームメモリ３５３には、フレームメモリ３５２に記憶された画像信号よりも１フレーム前の画像信号が記憶されて、フレームメモリ３５１，３５２，３５３には、時間的に連続する３フレーム分の画像信号が記憶される。
【００３０】
フレームメモリ３５１，３５２は、記憶している画像信号を動きベクトル検出部３５４に供給する。動きベクトル検出部３５４は、供給された２フレームの画像信号に基づいてブロックマッチングを行うことにより動きベクトルを検出して、検出した動きベクトルを第１の動きベクトルＭＶaとして信号生成処理部３１２に供給する。フレームメモリ３５２，３５３は、記憶している画像信号を動きベクトル検出部３５５に供給する。動きベクトル検出部３５５は、例えば供給された２フレームの画像信号に基づいてブロックマッチングを行うことにより動きベクトルを検出して、この検出した動きベクトルを第２の動きベクトルＭＶbとして信号生成処理部３１２に供給する。なお、動きベクトルの検出では勾配法（評価関数を計算し、評価関数が減少する方向を求めて、その方向に向かって探索を行い、評価関数が最小となるベクトルを算出する方法）や代表点マッチング法（前フィールドの画像信号の代表点が現フィールドのどこに動いたかを検出領域内で画像信号の相関をとることにより動きベクトルを求める方法）など、その他の方法を用いるものとしても良い。
【００３１】
付加情報生成部３１１は、表示画像の画像信号からどの部分の信号を用いて部分画像の信号とするかを示す部分画像情報ＰＩを識別符号ＪＤと共に設定して、信号生成処理部３１２に供給する。信号生成処理部３１２では、画像信号ＤＶsに対して動きベクトルＭＶa，ＭＶbや部分画像情報ＰＩ、識別符号ＪＤを付加あるいは合成して送信信号ＤＳを生成する。
【００３２】
また、部分画像の画像信号を生成して、各部分画像の画像信号にいずれの表示ユニットに供給する信号であるか示す識別符号ＪＤを付加あるいは合成して表示ユニット１１に送信する場合、信号生成処理部３１２は、画像信号ＤＶsに基づきで部分画像の画像信号を生成すると共に、この生成した部分画像の画像信号に対して、いずれの表示ユニットに供給する信号であるか示す識別符号ＪＤや動きベクトルＭＶa，ＭＶbを付加あるいは合成して、送信信号ＤＳを生成する。さらに、信号生成処理部３１２では、画像信号ＤＶsあるいは部分画像の画像信号ＤＶpの圧縮符号化を行って送信信号ＤＳを生成するものとしてもよい。
【００３３】
このようにして生成した送信信号ＤＳは、送信部３２に供給されて変調処理等が行われて伝送信号ＲＳとされたのち、送信アンテナ３３から出力される。
【００３４】
表示ユニット１１の受信部１３は、伝送信号ＲＳを受信して復調処理や識別情報に基づいた信号の選択等を行い、部分画像の画像信号ＤＶpを信号処理部１４に供給する。また、受信部１３では、画像信号に対して圧縮符号化が行われている場合に復号処理を行う。
【００３５】
図８は、動きベクトルに基づいてクラス分類適応処理を行う場合の信号処理部１４の構成を示している。なお、図８は動きベクトルが画像信号に合成されている場合を示す。また図８において、図３と対応する部分については同一符号を付している。
【００３６】
画像信号ＤＶpは、部分画像メモリ１５１に供給される。部分画像メモリ１５１には、部分画像メモリ１５２,１５３がシフトレジスタ状に順次接続されている。部分画像メモリ１５２には、部分画像メモリ１５３に記憶された画像信号よりも１フレーム前の画像信号が記憶されると共に、部分画像メモリ１５３には、部分画像メモリ１５３に記憶された画像信号よりも１フレーム前の画像信号が記憶されて、部分画像メモリ１５１，１５２，１５３には、時間的に連続する３フレーム分の画像信号が記憶される。
【００３７】
部分画像メモリ１５１は、記憶している画像信号を領域切出部１５６，１５７に供給する。また、部分画像メモリ１５３は、記憶している画像信号を領域切出部１５６，１５７に供給する。さらに、部分画像メモリ１５２は、記憶している画像信号を動きベクトル抽出部１５４，１５５と領域切出部１５６，１５７に供給する。
【００３８】
動きベクトル抽出部１５４は、画像信号に合成されている第１の動きベクトルＭＶaを分離して領域切出部１５６，１５７に供給する。同様に、動きベクトル抽出部１５５は、画像信号に合成されている第２の動きベクトルＭＶbを分離して領域切出部１５６，１５７に供給する。
【００３９】
領域切出部１５６は、動きベクトル抽出部１５４から供給される動きベクトルＭＶaおよび動きベクトル抽出部１５５から供給される動きベクトルＭＶbを参照して、供給される部分画像から注目画素および当該注目画素を中心とした複数の周辺画素からなる画像を切り出して、クラスタップデータＣＴＤとしてクラスコード生成部１５８に供給する。
【００４０】
クラスコード生成部１５８は、供給されたクラスタップデータＣＴＤから、例えばＡＤＲＣ(Adaptive Dynamic Range Coding)処理等によって時空間内のパターンを抽出し、抽出したパターンに従って分類されるクラスを示すクラスコードＣＤを生成する。
【００４１】
生成されたクラスコードＣＤは、予測係数ＲＯＭ１５９に供給される。予測係数ＲＯＭ１５９は、クラス毎に予め決定された予測係数を記憶しており、記憶している予測係数の内から、クラスコードＣＤに応じた予測係数データＥＤを読み出し、これを予測演算部１６０に供給する。
【００４２】
一方、領域切出部１５７は、動きベクトル抽出部１５４から供給される動きベクトルおよび動きベクトル抽出部１５５から供給される動きベクトルを参照して、供給される部分画像から、所定の位置の画像領域を切り出す。この切り出された画像領域のデータが予測タップデータＥＴＤとして予測演算部１６０に供給される。
【００４３】
予測演算部１６０は、領域切出部１５７から供給されるデータと、予測係数ＲＯＭ１５９から供給される予測係数データＥＤとに基づいて所定の演算を行い、その結果として画像信号ＤＶuを生成して表示駆動部１６１に供給する。表示駆動部１６１では、画像信号ＤＶuに基づき表示素子毎の表示駆動信号ＤＲpを生成して出力する。このようにして生成した表示駆動信号ＤＲpに基づく画像は、ノイズが除去若しくは軽減された画像となる。
【００４４】
図９は、予測係数ＲＯＭ１５９に記憶させる予測係数を決定するための学習回路４００を示している。ノイズを有しない教師画像の画像信号ＤＶqがＬＰＦ４０１を介してノイズ付加部４０２に供給される。また画像信号ＤＶqが正規方程式演算部４１１に供給される。ノイズ付加部４０２は、供給される画像信号ＤＶqにノイズ成分を付加する。このノイズ成分が付加された画像信号ＤＶqは、部分画像メモリ４０３に供給される。部分画像メモリ４０３には、部分画像メモリ４０４，４０５がシフトレジスタ状に順次接続されており、この部分画像メモリ４０３〜４０５によって、時間的に連続する３フレームの部分画像の画像信号ＤＶqが記憶される。
【００４５】
ここで、部分画像メモリ４０４に記憶されている画像信号を注目フレームの部分画像の画像信号ＤＶq-kとして扱うものとする。このとき、部分画像メモリ４０５に記憶される画像信号は、注目フレームより１フレーム前の画像信号ＤＶq-（k-1)であり、部分画像メモリ４０３に記憶される画像信号は、注目フレームより１フレーム後の部分画像の画像信号ＤＶq-(k+1)となる。
【００４６】
部分画像メモリ４０３，４０４，４０５は、記憶している画像信号ＤＶq-(k+1)，ＤＶq-k，ＤＶq-(k-1)を動きベクトル抽出部４０６，４０７と領域切出部４０８，４０９に供給する。
【００４７】
動きベクトル抽出部４０６は、供給された画像信号ＤＶq-(k+1)，ＤＶq-kを用いてブロックマッチングを行い動きベクトルを検出する。この検出した動きベクトルＭＶkaは、領域切出部４０８，４０９に供給する。同様に、動きベクトル抽出部４０７は、供給された画像信号ＤＶq-k，ＤＶq-(k-1)に基づいてブロックマッチングを行い動きベクトルを検出する。この検出した動きベクトルＭＶkbは、領域切出部４０８，４０９に供給する。なお、動きベクトルの検出は、上述のように時空間勾配法や代表点マッチング法などのその他の方法を用いるものとしても良い。
【００４８】
領域切出部４０８は、部分画像メモリ４０４から供給された画像信号ＤＶq-kから注目画素とその周辺画素の信号を切り出す。また、切り出した信号と対応する部分の信号を、動きベクトルＭＶkaに基づいて画像信号ＤＶq-(k+1)から切り出すと共に、動きベクトルＭＶkbに基づいて画像信号ＤＶq-(k-1)から切り出してクラスタップデータＣＴＤとしてクラスコード生成部４１０に供給する。
【００４９】
クラスコード生成部４１０は、供給されたクラスタップデータＣＴＤに基づきクラスコードＣＤを生成して正規方程式演算部４１１に供給する。
【００５０】
また、領域切出部４０９も領域切出部４０８と同様に、画像メモリ４０４から供給された画像信号ＤＶq-kから注目画素とその周辺画素の信号を読み出すと共に、切り出した信号と対応する部分の信号を、動きベクトルＭＶka，ＭＶkbに基づいて画像信号ＤＶq-(k+1)，ＤＶq-(k-1)から切り出して予測タップデータＥＴＤとして正規方程式演算部４１１に供給する。
【００５１】
正規方程式演算部４１１は、画像信号ＤＶqと予測タップデータＥＴＤから、クラスコードＣＤ毎に正規方程式を生成し、この正規方程式ＥＱＤを予測係数決定部４１２に出力する。
予測係数決定部４１２は、正規方程式ＥＱＤが必要な数だけ供給されると、最小自乗法を用いて当該正規方程式を解くことにより予測係数を演算し、その予測係数データＥＤをメモリ４１３に格納する。その後、このメモリ４１３に格納されている予測係数データＥＤを予測係数ＲＯＭ１５９に書き込む。このように、動きベクトルを用いることでノイズの少ない部分画像を表示できる。
【００５２】
図１０は、表示ユニットの他の構成を示している。この表示ユニット１１aは、スクリーン１７cと、このスクリーン１７cの裏面側から光を投影してスクリーン１７c上に画像を表示させる光投射器１７bとで表示部１７が構成されている。この場合、信号処理部１４の表示駆動部１４６では、部分画像の画像信号ＤＶpに基づき光投射器１７bを駆動する表示駆動信号ＤＲを生成する。光投射器１７bは、表示駆動信号ＤＲに基づき、スクリーン１７cに対して光を投影して画像表示を行う。
【００５３】
ところで、表示ユニット１１の表示部１７の形状は、図１に示すように矩形状のものに限られるものではなく、表示部１７を種々の形状として、これらを組み合わせて用いることで、多様な形状の画像表示領域ＰＡを形成できる。例えば、矩形状の表示を行う表示部１７-1と、三角形や台形状の表示を行う表示部１７-2，１７-3等を用いることで、図１１に示す形状の画像表示領域ＰＡを形成できる。
【００５４】
さらに、画像表示領域ＰＡは、独立した複数の表示ユニット１１で構成されることから、表示ユニット１１の位置を移動させて配列を変更すれば、表示する画像に対応させて画像表示領域ＰＡの形状を変更できる。この場合、画像信号の送信側では、画像信号を送信する際に、表示ユニット１１の位置を設定する位置設定情報ＪＰを付加あるいは合成する。
【００５５】
図１２は、表示ユニットが移動可能である構成を示している。なお、図１２において、図２と対応する部分については同一符号を付している。また、図１２では、表示画像の画像信号のいずれの部分の信号を用いて部分画像の信号とするかを示す部分画像情報ＰＩが識別符号ＪＤに関係付けて設定されている信号を受信する場合を示している。
【００５６】
表示ユニット１１bの受信部１３では、受信アンテナ１２で受信した信号の復調処理等を行い、得られた表示画像の画像信号ＤＶsを信号抽出部２１に供給する。また、部分画像情報ＰＩや位置設定情報ＪＰを分離して情報抽出部２２に供給する。
【００５７】
情報抽出部２２は、識別符号ＪＤが一致する部分画像情報ＰＩpや位置設定情報ＪＰpを抽出する。すなわち、画像表示領域ＰＡを構成する表示ユニットに対する部分画像情報ＰＩや位置設定情報ＪＰから、表示ユニット毎に割り当てられた情報を、識別符号ＪＤに基づいて抽出する。また抽出した位置設定情報ＪＰpを位置移動部２３に供給する。
【００５８】
信号抽出部２１では、画像信号ＤＶsから部分画像情報ＰＩpで示された部分の信号を抽出することにより部分画像の画像信号ＤＶpを生成して信号処理部１４に供給する。位置移動部２３は、供給された位置設定情報ＪＰpに基づいて表示ユニット１１を指定された位置に移動させる。表示ユニット１１の位置を移動させる機構としては、例えば、壁面等に表示ユニット１１を支持する支持機構を設けると共に、支持機構にレールや溝等のガイド機構を設けるものとして、ガイド機構と支持機構によって表示ユニット１１を移動可能に保持させる。さらに、位置設定情報ＪＰに基づきモータ等を駆動して、ガイド機構に沿って表示ユニット１１を所望の位置に移動させる。
【００５９】
このように、表示ユニット１１の位置を移動可能とすることにより、表示する画像の形状にあわせて画像表示領域ＰＡの形状を変更できる。例えば、表示する画像をアスペクト比「９：１６」から「３：４」に変更するものとした場合、アスペクト比が「９：１６」である図１３Ａの状態から、表示ユニット１１-n1〜１１-n6を図１３Ｂに示すように下側に移動させると共に、移動されずに残っている表示ユニット１１-7は、部分画像の表示を行わないものとする。このように、表示ユニット１１-1〜１１-6を移動させることにより、移動された表示ユニットの表示部１７によってアスペクト比が変更されて「３：４」の画像表示領域ＰＡを形成できる。
【００６０】
さらに、表示ユニット１１の位置が移動可能であることから、表示される画像の動きに応じて表示領域を移動させることもできる。例えば、図１４Ａに示すように、動く被写体ＯＢが撮影画面の中央に位置するように、ビデオカメラＣＡＭ１を時点ｔ1〜時点ｔ3の期間中に右方向から左方向にパンさせて撮影を行う。この撮影した画像を画像表示領域ＰＡに表示させると、図１４Ｂに示すように、各時点の表示画像は被写体ＯＢが画面中央の位置となって、背景部分が左側から右側に移動することによって被写体ＯＢの動きが表現される。このように、動きのある被写体ＯＢが、表示位置を固定して表示されるため、臨場感の高い画像表示を行うことができない。しかし、被写体ＯＢの動きに応じて画像表示領域ＰＡを移動させて、例えば図１４Ｃに示すように背景部分の表示位置を固定させると、被写体ＯＢの動きに応じて表示位置が移動されるため、臨場感の高い画像表示を行うことができる。
【００６１】
ここで、画像内の動きに応じて表示ユニット１１を移動させる場合、予め表示する画像に対して画像動き検出処理を行い、検出結果に基づき各表示ユニット１１の位置を決定する。この決定された表示ユニット１１の位置を示す位置設定情報ＪＰを生成して、送信する画像信号に付加あるいは合成する。
【００６２】
図１５は、コンピュータを用いて画像動き検出処理を行い、検出結果に基づき位置設定情報ＪＰを生成して画像信号に付加あるいは合成する画像送信装置の構成を示している。コンピュータは、ＣＰＵ(Central Processing Unit)５０１を内蔵しており、このＣＰＵ５０１にはバス５２０を介してＲＯＭ５０２，ＲＡＭ５０３，ハード・ディスク・ドライブ５０４，入出力インタフェース５０５が接続されている。さらに、入出力インタフェース５０５には入力部５１１や記録媒体ドライブ５１２，通信部５１３，画像信号入力部５１４，送信部３２が接続されている。
【００６３】
外部装置から命令が入力されたり、キーボードやマウス等の操作手段あるいはマイク等の音声入力手段等を用いて構成された入力部５１１から命令が入力されたりすると、この命令が入出力インタフェース５０５を介してＣＰＵ５０１に供給される。
【００６４】
ＣＰＵ５０１は、ＲＯＭ５０２やＲＡＭ５０３あるいはハード・ディスク・ドライブ５０４に記憶されているプログラムを実行して、供給された命令に応じた処理を行う。さらに、ＲＯＭ５０２やＲＡＭ５０３あるいはハード・ディスク・ドライブ５０４には、表示ユニットの位置を決定するプログラムを予め記憶させて、画像信号入力部５１４に入力された画像信号ＤＶsに基づき表示ユニットの位置を示す位置設定情報ＪＰを生成する。さらに、この位置設定情報ＪＰを画像信号に付加あるいは合成して、送信信号ＤＳとして送信部３２に供給する。送信部３２は、変調処理等を行い送信信号ＤＳに基づき伝送信号ＲＳを生成して送信アンテナ３３から出力する。
【００６５】
また、記録媒体にプログラムを記録しておくものとし、記録媒体ドライブ５１２によって、プログラムを記録媒体に記録しあるいは記録媒体に記録されているプログラムを読み出してコンピュータで実行するものとしても良い。さらに、通信部５１３によって、伝送路を介したプログラムの送信あるいは受信を行うものとし、受信したプログラムをコンピュータで実行するものとしても良い。
【００６６】
図１６は、コンピュータを用いた場合の画像送信装置の動作を示すフローチャートである。ステップＳＴ１では、表示ユニット１１を移動させながら表示したり、表示ユニット１１を移動させた後に画像を表示するシーンを選定したりする。ステップＳＴ２では、移動する表示ユニット１１を指定する。例えば画像の動きや位置の違い等を強調して表示したい被写体が含まれるように、移動する表示ユニット１１を指定する。
【００６７】
ステップＳＴ３では、付加情報の追加処理を行う。この付加情報の追加処理では、ステップＳＴ２で指定した表示ユニット１１に対する付加情報を表示ユニット毎およびフレーム毎に生成して、画像信号に付加あるいは合成する。
【００６８】
図１７は、付加情報の追加処理を示すフローチャートである。ステップＳＴ１１では、注目する被写体の動きを検出するため、この被写体の近くの背景部分に１個あるいは複数の画像動き検出領域を設定する。
【００６９】
ステップＳＴ１２では、設定した動き検出領域に対して例えばブロックマッチング法や時空間勾配法等の動き検出を行い、動きベクトルを求める。
【００７０】
ステップＳＴ１３では、シーンの最終フレームまで動き検出が完了したか否かを判別する。ここで、最終フレームまで動き検出が完了していないときにはステップＳＴ１４に進み、最終フレームまで完了したときにはステップＳＴ１５に進む。
【００７１】
ステップＳＴ１４では、動き検出を行う領域の変更が必要か否かを判別する。例えば、後述する図１８において、被写体ＯＢの動きを検出するために、時点ｔ11で家の窓を動き検出領域として設定したとき、領域を変更する必要が無い場合、すなわち動き検出領域として設定した窓が撮影範囲内にあるときには、ステップＳＴ１２に戻る。また、時点ｔ12のように、動き検出領域として設定した窓が撮影範囲から外れてしまうと動き検出を行うことができないため、このような場合には動き検出を行う領域の変更が必要と判別してステップＳＴ１１に戻り、動き検出領域を、例えば窓から扉の位置に変更して引き続き動き検出を行う。
【００７２】
ステップＳＴ１３からステップＳＴ１５に進むと、ステップＳＴ１５では、シーン全体の動き成分を分解して、動きの多い画像部分と動きの少ない画像部分を判別してステップＳＴ１６に進む。
ステップＳＴ１６では、分解された動き成分に基づいて付加情報の生成を行いステップＳＴ１７に進む。
【００７３】
この付加情報の生成では、表示ユニット毎に表示画像のいずれの領域を表示するかを示す部分画像情報ＰＩや表示ユニット毎に位置設定情報ＪＰを生成する。例えば、動きの少ないときには部分画像とする左上の画素と右下の画素で示される範囲等を動きに応じて変更して部分画像情報ＰＩとする。また動きの多い部分については、動きに応じて位置設定情報ＪＰを生成することで、表示ユニットを移動させて被写体ＯＢの動きを表現する。このように、部分画像情報ＰＩや位置設定情報ＪＰを生成することで、送信側からは画像全体の信号と表示ユニット毎の付加情報を全てまとめて送信し、各表示ユニット１１においては、これを受信して付加情報に基づき、必要とする画像の信号のみを抽出して用いることで、表示ユニット毎に部分画像を表示することが可能となる。また、位置設定情報に基づき表示ユニットの移動も行う。なお、上述したように、分解された動き成分に基づいて部分画像の画像信号を生成して送信するものとしても良いことは勿論である。
【００７４】
ステップＳＴ１７では、動物体の表示に用いない表示ユニットが生じたか否かを判別する。例えば被写体が離れていくときには被写体の画像サイズが小さくなるため、被写体の画像の表示に用いられる表示ユニットの数は少なくなり、動物体の表示に用いない表示ユニットが生じる。このように、動物体の表示に用いない表示ユニットが生じたときにはステップＳＴ１８に進む。また、動物体の表示に用いない表示ユニットが生じていないときには付加情報の追加処理を終了する。
【００７５】
ステップＳＴ１８では、動物体の表示に用いない表示ユニットに対して、動物体と異なる動きとする動物体非対応処理を行うか否かを判別する。ここで、動物体の表示に用いない表示ユニットで別の表示を行うものとしたり、次に表示するシーンの準備のため、動物体非対応処理を実行したりするときにはステップＳＴ１９に進む。また、動物体非対応処理を実行しないときには、動物体の表示に用いるか否かについての区別を行わないものとして、付加情報の追加処理を終了する。
【００７６】
ステップＳＴ１９では動物体非対応処理を行う。例えば、動物体非対応処理として動物体の表示に用いない表示ユニットを元の位置に移動する位置設定情報ＪＰを生成する。あるいは、次のシーンに応じた位置に予め移動させる位置設定情報ＪＰを生成する。このように表示ユニットを元の位置に移動することで、例えば背景画像の表示に利用できる。また、次のシーンに応じた位置に予め移動させておけば、次のシーンの画像を所望の位置に速やかに表示させることができる。このステップＳＴ１９の処理が終了したときには付加情報の追加処理を終了する。
【００７７】
図１６のステップＳＴ４では、移動後処理用データを生成してステップＳＴ５に進む。この移動後処理用データの生成では、あるシーンにおいて表示ユニット１１を移動させた場合に次のシーンのために元の位置に戻しておく、あるいは次のシーンに応じた位置に設定しておくための位置設定情報ＪＰを生成する。また、移動後処理用データでは、部分画像の表示の有無を制御するものとしても良い。
【００７８】
ステップＳＴ５では、次に処理するシーンがあるか否かを判別する。ここで、処理するシーンが有る場合にはステップＳＴ２に戻り、新たなシーンに対して位置設定情報ＪＰの生成を行う。また、処理するシーンが無いときには処理を終了する。
【００７９】
図１８は、画像の動きに応じて表示ユニット１１を移動させる場合を示している。例えば、図１８Ａに示すように、動く被写体ＯＢが撮影画面の中央に位置させるため、時点ｔ11〜時点ｔ12の期間中は被写体ＯＢの動きに合わせてビデオカメラＣＡＭ１を左方向に移動させて撮影を行う。また、時点ｔ12以降の期間中は、被写体ＯＢが撮像画面の中央位置となるようにビデオカメラＣＡＭ１を中央から左方向にパンさせる。また、時点ｔ12以降の期間中は、他のビデオカメラＣＡＭ２を用いて背景部分を撮影する。
【００８０】
この場合、ビデオカメラＣＡＭ１で撮影した画像を画像表示領域ＰＡに表示させると、図１８Ｂに示すように、各時点の表示画像は被写体ＯＢが画面中央の位置となって、臨場感の高い画像表示を行うことができない。しかし、図１８Ｃに示すように、被写体ＯＢの動きに応じて画像表示領域ＰＡを移動させることで、時点ｔ11〜時点ｔ12には、被写体ＯＢの動きに合わせて、画像表示領域ＰＡを移動できる。その後、ビデオカメラＣＡＭ２を用いて背景部分の撮影が行われていることから、画像表示領域ＰＡを構成する表示ユニット１１の一部を移動させて、移動された表示ユニット１１で構成される画像表示領域ＰＡ1と、移動されていない表示ユニット１１で構成される画像表示領域ＰＡ2に分割する。この画像表示領域ＰＡ1にビデオカメラＣＡＭ１の撮影画像を表示すると共に、被写体ＯＢの動きに応じて画像表示領域ＰＡ1を移動させる。また、画像表示領域ＰＡ2には、ビデオカメラＣＡＭ２の撮影画像を表示する。この場合、例えば時点ｔ13では、画像表示領域ＰＡ2に背景を表示することができると共に、被写体ＯＢの動きに合わせて画像表示領域ＰＡ1で被写体ＯＢの画像を表示できる。さらに、被写体ＯＢが小さくなったときに動物体非対応処理を行い、被写体ＯＢの表示を行っていない表示ユニットで形成される画像表示領域ＰＡ3を例えば背景画像を表示している画像表示領域ＰＡ2まで移動させる。
【００８１】
このように、画像表示領域ＰＡを複数に分割して画像表示を行うと共に、画像表示領域を移動可能とすることで、所望の背景画像と被写体ＯＢが離れても各画像表示領域で被写体ＯＢや所望の背景画像を正しい位置関係で表示できる。また、動物体非対応処理を行うことで、表示ユニットを有効に活用できる。
【００８２】
さらに、画像表示領域ＰＡを複数の領域に分けて、各表示領域で異なる画像ソースの画像を表示するものとしても良い。例えば図１９Ａに示すように、電話の発呼側の画像をビデオカメラＣＡＭ３で撮影すると共に着呼側の画像をビデオカメラＣＡＭ４で撮影する。ここで、図１９Ｂに示すように、時点ｔ21では、画像送信装置からの送信信号ＤＳによって、例えばビデオカメラＣＡＭ３で撮影された発呼側の撮影画像を表示させる。時点ｔ22で発呼側から着呼側に対して回線接続を行う場合、発呼側と着呼側の画像を容易に判別できるように、送信信号ＤＳに付加あるいは合成される位置設定情報ＪＰによって、画像表示領域ＰＡを画像表示領域ＰＡ4と画像表示領域ＰＡ5に分割する。その後、時点ｔ23や時点ｔ24では、送信信号ＤＳによって、画像表示領域ＰＡ4に、ビデオカメラＣＡＭ３で撮影された発呼側の撮影画像を表示させる。また、画像表示領域ＰＡ5に、ビデオカメラＣＡＭ４で撮影された着呼側の撮影画像を表示させる。
【００８３】
時点ｔ25で回線接続が終了したときには、送信信号ＤＳに付加あるいは合成される位置設定情報ＪＰによって、画像表示領域ＰＡ4と画像表示領域ＰＡ5を結合して１つの画像表示領域ＰＡを形成する。このように、表示する画像の画像ソースに応じて画像表示領域を分割して画像表示を行うことにより、各画像ソースに基づく画像を容易に識別可能に表示できる。
【００８４】
また、図２０に示すように、画像の送信側では、異なる周波数の送信信号を用いて画像送信装置３０-0〜３０-nから複数の画像信号ＤＶs-0〜ＤＶs-nを用いて生成した送信信号を送信する。一方、表示ユニット１１cでは、各送信信号を受信する受信部１３-0〜１３-nを設けて、何れかの受信部１３からの画像信号を信号処理部１４で選択して、選択した画像信号に基づき表示駆動信号ＤＲpを生成して表示部１７に供給するものとしても良い。この場合には、画像表示領域ＰＡの所望の領域に、他の部分とは異なる画像を簡単に表示できる。例えば緊急放送等を行う場合、この緊急放送を重畳させた画像信号を生成しなくとも、表示ユニットで選択する画像信号を切り換えることで、画像表示領域ＰＡの所望の位置に緊急放送の画像を表示できる。
なお、上述の実施の形態における表示ユニット数や形状等は例示的なものであり、限定的なものでないことは勿論である。
【００８５】
【発明の効果】
この発明によれば、無線信号を受信して画像信号を出力する受信手段と、受信手段から出力された画像信号に基づいて表示駆動信号を生成する信号処理手段と、表示駆動信号に基づいて画像表示を行う表示手段とを用いて表示ユニットが形成されて、この表示ユニットを複数用いることで、複数の表示ユニットの表示手段によって画像表示領域が構成される。また、画像表示領域を構成する表示手段に対応させて、表示画像を複数の部分画像に分割し、部分画像を対応する表示手段で表示させる送信信号が生成されて無線信号として出力される。このように無線信号を用いることから、表示ユニットの数や配置を簡単に変えることが可能となり自由度の高い画像表示を行うことができる。
【００８６】
また、信号処理手段は、画像信号に対して高画質化処理を行い、高画質化処理が行われた画像信号に基づいて表示駆動信号が生成されるので、各表示ユニットでは高画質の部分画像表示を行うことができると共に、画像表示領域に表示される画像も高画質となる。
【００８７】
また、各表示ユニットの位置を設定する位置設定情報を用いて送信信号が生成されると共に、受信された位置設定情報から表示ユニット毎に対応する位置設定情報が抽出されて、この抽出された位置設定情報に基づき表示ユニットの位置が移動される。このため、画像表示領域の移動や画像表示領域を離れた位置に分割する等の処理が可能となり、表示画像の動きに応じて表示位置を可変させたり、分割された画像表示領域に異なるソースの画像を表示させたりする等の多彩な画像表示を行うことができる。
【００８８】
さらに、画像送信装置が複数設けられると共に、画像表示装置の表示ユニットでは、いずれかの画像送信装置から送信された画像を部分画像として表示するか、表示ユニット単位で選択して表示される。このため、画像表示領域の所望の位置に他の部分とは異なる画像を簡単に表示させることができる。
【図面の簡単な説明】
【図１】画像表示装置の画像表示領域を示す図である。
【図２】表示ユニットの構成を示す図である。
【図３】信号処理部の構成を示す図である。
【図４】学習回路の構成を示す図である。
【図５】部分画像の画像信号を示す図である。
【図６】画像送信装置の構成を示す図である。
【図７】付加情報生成部の構成を示す図である。
【図８】動きベクトルを用いる場合の信号処理部の構成を示す図である。
【図９】動きベクトルを用いる場合の学習回路の示す図である。
【図１０】表示ユニットの他の構成を示す図である。
【図１１】種々の形状の表示ユニットを用いた場合の画像表示領域を示す図である。
【図１２】表示ユニットの他の構成を示す図である。
【図１３】表示ユニットを移動させた場合を示す図である。
【図１４】画像表示動作を説明するための図である。
【図１５】コンピュータを用いた場合の画像送信装置の構成を示す図である。
【図１６】コンピュータを用いた画像送信装置における動作の一部を示すフローチャートである。
【図１７】付加情報の追加処理を示すフローチャートである。
【図１８】画像表示領域を分割して画像表示を行う場合の動作を示す図である。
【図１９】複数の画像ソースを用いて画像表示を行う場合の動作を示す図である。
【図２０】画像表示システムの他の構成を示す図である。
【符号の説明】
１１，１１a，１１b，１１c・・・表示ユニット、１２・・・受信アンテナ、１３，１３-0〜１３-n・・・受信部、１４・・・信号処理部、１７・・・表示部、１７a・・・表示素子、１７b・・・光投射器、１７c・・・スクリーン、２２・・・情報抽出部、２３・・・位置移動部、３０，３０-0〜３０-n・・・画像送信装置、３１・・・送信信号生成部、３２・・・送信部、３３・・・送信アンテナ、２００，４００・・・学習回路、０３１１・・・付加情報生成部、３１２・・・信号生成処理部、３５０・・・動き情報生成部
【図１】
0003969183.tif 000002
【図２】
0003969183.tif 000003
【図３】
0003969183.tif 000004
【図４】
0003969183.tif 000005
【図５】
0003969183.tif 000006
【図６】
0003969183.tif 000007
【図７】
0003969183.tif 000008
【図８】
0003969183.tif 000009
【図９】
0003969183.tif 000010
【図１０】
0003969183.tif 000011
【図１１】
0003969183.tif 000012
【図１２】
0003969183.tif 000013
【図１３】
0003969183.tif 000014
【図１４】
0003969183.tif 000015
【図１５】
0003969183.tif 000016
【図１６】
0003969183.tif 000017
【図１７】
0003969183.tif 000018
【図１８】
0003969183.tif 000019
【図１９】
0003969183.tif 000020
【図２０】
0003969183.tif 000021